(57)【要約】【課題】水道水が減圧された状態においても出水可能な水道蛇口構造を提供する。【解決手段】本発明における水道蛇口構造１０は、水道蛇口１１を構成する流量調整スピンドル２０の下方に延設する円筒スリーブ２１の所定箇所に略Ｃ形を為す固定嵌め具４０の先端突片４１を挿嵌可能な貫通した係止溝２２が対向して刻設されると共に、該円筒スリーブ２１の中空部２３を上下にスライド移動するケレップ・コマ３０の回転スリーブ３１の外周面所定箇所に固定嵌め具４０の先端突片４１が回転可能に係止される凹溝３２が周設されて成り、流量調整スピンドル２０とケレップ・コマ３０が固定嵌め具４０によって回転可能に連結されることで該流量調整スピンドル２０とケレップ・コマ３０とが連動して上下移動することにより、水道水Ｓが減圧された状態においても出水可能な手段を採る。【選択図】図１
2020033691.tif 000002
【特許請求の範囲】
【請求項１】
水道蛇口を構成する流量調整スピンドルの下方に延設する円筒スリーブの所定箇所に略Ｃ形を為す固定嵌め具の先端突片を挿嵌可能な貫通した係止溝が対向して刻設されると共に、該円筒スリーブの中空部を上下にスライド移動するケレップ・コマの回転スリーブの外周面所定箇所に前記固定嵌め具の先端突片が回転可能に係止される凹溝が周設されて成り、
前記流量調整スピンドルと前記ケレップ・コマが前記固定嵌め具によって回転可能に連結されることで該流量調整スピンドルとケレップ・コマとが連動して上下移動することにより、水道水が減圧された状態においても出水可能なことを特徴とする水道蛇口構造。
【請求項２】
前記固定嵌め具は、先端突片が夫々互いの方向へ付勢される略弾性部材から成ることを特徴とする水道蛇口構造。
【発明の詳細な説明】
【技術分野】
【０００１】
本発明は、水道の蛇口構造に関し、詳しくは、水道水が減圧された状態においても出水可能な水道の蛇口構造に関するものである。
【背景技術】
【０００２】
水道の蛇口構造は、ハンドルを回転することで緩んだ蛇口内のコマを水道水の圧力（水圧）により押し上げ、水の通り道を確保する手段が一般的である。かかる一般的な蛇口構造によれば、水道水の圧力が減圧された場合にコマが押し上げられず、水道管に水が滞留したまま蛇口から出てこないといった、いわゆる減圧現象が発生する。
【０００３】
かかる水道水の供給時に発生する減圧現象は、高層・高台居住地や、節水制限、水道管破裂事故、腐食、錆、経年劣化、冬期の水抜き等の多様な要因により発生するもので、その中でも水抜きに伴う減圧現象は、凍結による水道管破裂事故に発展しかねないといった問題があった。これら減圧現象を解決すべく、水道水配管途中に減圧弁を接続してそれらの現象を解消する手段も採られているが、一般家庭においては水道管途中に減圧弁を設置することは経済的な負担が発生することから、水道蛇口自体に簡易的な減圧調整機能を備える水道蛇口構造が望まれるところであった。
【０００４】
ここで、従来の水道蛇口構造について、図４を基に説明する。通常時の開栓態様は、ハンドル５２を開放方向に回動させることで、流量調整スピンドル２０が上方へ移動するに伴い、ケレップ・コマ３０が水圧によって流量調整スピンドル２０の中空部２３内を上方にスライド移動し、水道水流動口Ｄが開放される状態となる。これに対し、減圧状態における開栓態様は、ハンドル５２が開放状態で流量調整スピンドル２０が上方に移動しても、水道水Ｓが減圧状態であるためケレップ・コマ３０を押し上げるだけの水圧がなく、それによりケレップ・コマ３０は流量調整スピンドル２０に追随して上昇することなく、自重により下降して下方に居座ったままとなって、水道水流動口Ｄが閉鎖されたままの状態となる。
【０００５】
従来、水道水の供給設備おける節水機能を備えた水道蛇口構造が提案されている。例えば、既設の蛇口に節水具を取り付けることができ、さらに水の供給を止めることなく設置作業を行うことができ、かつ簡単な構造で安価で提供できる「蛇口用節水具及びその取り付け方法」（特許文献１）が提案され、公知技術となっている。具体的には、蛇口の操作ハンドル軸に装着され、ハンドル軸の移動量を制限することによって蛇口のコマの開口量を移動制限する手段を採用する提案である。
【０００６】
また、水道水の節水を目的に水栓内のコマに節水具を取り付け、使用する人の望む最適の水量に調整し節水することができる「流量自在節水調整コマ」（特許文献２）が提案され、公知技術となっている。具体的には、水道の水栓内のコマのパッキンの下のナットを外し、パッキンの下に水平板をセットし、その下に扇型で角度９０度の水流遮断板を４枚取り付けナットで締め付け固定する。４枚の水流遮断板を扇状に開閉し、胴の一部にある流水口とパッキンの間からの水流を一部遮断し、蛇口からの水量を自在に調整する手段を採用するものである。
【０００７】
しかしながら、上記にかかる何れの提案も、水道蛇口構造に改良を加えて節水効果を得ることを目的とした提案であって、本発明にかかる水道蛇口構造のような水道水の減圧状態における出水を可能にする提案ではなかった。
【０００８】
本出願人は、従来における水道水が何らかの要因で一時的に減圧された状態にて一定の出水もできなくなるといった問題に着目し、減圧弁等の特殊な装置を使用することなく簡便な手段でそれらの問題点が解決することができないものかという着想の下、水道水が減圧された状態においても出水可能な水道蛇口構造を開発し、本発明における「水道蛇口構造」の提案に至るものである。
【先行技術文献】
【特許文献】
【０００９】
【特許文献１】実用新案登録第３１４２８４２号
【特許文献２】実用新案登録第３０９３２４８号
【発明の概要】
【発明が解決しようとする課題】
【００１０】
本発明は、上記問題点に鑑み、水道水が減圧された状態においても出水可能な水道蛇口構造を提供することを課題とするものである。
【課題を解決するための手段】
【００１１】
上記課題を解決するため、本発明は、水道蛇口を構成する流量調整スピンドルの下方に延設する円筒スリーブの所定箇所に略Ｃ形を為す固定嵌め具の先端突片を挿嵌可能な貫通した係止溝が対向して刻設されると共に、該円筒スリーブの中空部を上下にスライド移動するケレップ・コマの回転スリーブの外周面所定箇所に前記固定嵌め具の先端突片が回転可能に係止される凹溝が周設されて成り、前記流量調整スピンドルと前記ケレップ・コマが前記固定嵌め具によって回転可能に連結されることで該流量調整スピンドルとケレップ・コマとが連動して上下移動することにより、水道水が減圧された状態においても出水可能とした手段を採る。
【００１２】
また、本発明は、前記固定嵌め具が、先端突片が夫々互いの方向へ付勢される略弾性部材から成る手段を採る。
【発明の効果】
【００１３】
本発明にかかる水道蛇口構造によれば、流量調整スピンドル内を回転するケレップ・コマが固定嵌め具によって上下動において固定されていることから、水道水の水圧に関係なく流量調整スピンドルと連動して上方及び下方に移動して、水道水流動路が強制的に開放・閉鎖される構造となっているため、水道水の水圧が低下した減圧状態においてケレップ・コマが上がらずに水道水流動路が閉鎖されたままとなって出水ができない、といった従来の問題点を解決することが可能であって、水圧が無くとも流量調整スピンドルの動きでケレップ・コマを上方へ移動させて水道水流動路の開放が可能になる、といった優れた効果を奏する。
【００１４】
また、本発明にかかる水道蛇口構造によれば、流量調整スピンドルとケレップ・コマとが完全固定状態ではなく、上下動において固定されつつ回転可能に連結されていることで、流量調整スピンドルの回転に連動したケレップ・コマの回転を抑制して該ケレップ・コマに装備されているパッキンの水道水流動口における摺動を防いで擦り減りを防止することができる、といった優れた効果を奏する。
【００１５】
さらに、本発明にかかる水道蛇口構造によれば、災害や事故によって水抜き後の水圧が無い状態でも、残存するある程度の水を出水することが可能となることで、タンクやボイラー、温水器などの水抜き作業に最適であると共に、水道管に残留した水道水の凍結による水道管破裂事故を防止することができる、といった優れた効果を奏する。
【００１６】
またさらに、本発明にかかる水道蛇口構造によれば、固定嵌め具の先端突片が夫々互いの方向へ付勢される合成樹脂または非錆性金属による略弾性部材から成る素材で成形されることによって、ケレップ・コマの設置及び交換が容易となり、負担なく設置作業やメンテナンス作業が可能である、といった優れた効果を奏する。
【図面の簡単な説明】
【００１７】
【図１】本発明にかかる水道蛇口構造の実施形態を示す説明図である。（実施例１）
【図２】本発明にかかる水道蛇口構造の作動状態を示す説明図である。
【図３】本発明にかかる水道蛇口構造の実施形態を示す説明図である。（実施例２）
【図４】従来の水道蛇口構造を示す説明図である。
【発明を実施するための形態】
【００１８】
本発明にかかる水道蛇口構造１０は、流量調整スピンドル２０とケレップ・コマ３０が回転可能に連結されることで、該流量調整スピンドル２０とケレップ・コマ３０とが連動して上下移動することにより、水道水Ｓが減圧された状態においても出水可能な手段を採用したことを最大の特徴とする。
以下、本発明にかかる水道蛇口構造１０の実施形態を、図面に基づいて説明する。
【００１９】
尚、本発明にかかる水道蛇口構造１０は、以下に述べる実施例に限定されるものではなく、本発明の技術的思想の範囲内、すなわち同一の作用効果を発揮できる構造や部材等の範囲内で、適宜変更することができる。
【実施例１】
【００２０】
図１は、本発明にかかる水道蛇口構造１０の全体構成の実施形態を示す説明図であり、（ａ）は縦断面図、（ｂ）は分解斜視図を示している。
本発明にかかる水道蛇口構造１０は、蛇口本体５０、ビス５１、ハンドル５２、パッキン押え５３、三角パッキン５４、パッキン受け５５、流量調整スピンドル２０、ケレップ・コマ３０、固定嵌め具４０、パッキン５６、ナット５７によって構成される。
【００２１】
流量調整スピンドル２０は、蛇口本体５０に螺合によってハンドル５２に直結して取り付けられ、下方に延設する円筒スリーブ２１の所定箇所に、貫通した係止溝２２が対向して刻設されている。該係止溝２２は、後述する固定嵌め具４０の先端突片４１が挿嵌される部分であって、すなわち該先端突片４１が挿嵌可能な形状に刻設されている。
【００２２】
ケレップ・コマ３０は、流量調整スピンドル２０の円筒スリーブ２１の中空部２３を上下にスライド移動する形状に形成されると共に、回転スリーブ３１の外周面所定箇所に凹溝３２が周設されている。該凹溝３２は、後述する固定嵌め具４０の先端突片４１が係止される部分であって、すなわち該先端突片４１が係止可能な形状に周設されている。
【００２３】
固定嵌め具４０は、一部が開放された略Ｃ形を為すリング状に成形されて成り、開放箇所に存する両端部に夫々先端突片４１が形成されている。図３は、本発明にかかる固定嵌め具４０の実施形態を示しており、（ａ）は弾性線材で形成された固定嵌め具４０並びにその装着態様を示し、（ｂ）はリング状の合成樹脂または非錆性金属による板材で形成された固定嵌め具４０並びにその装着態様を示している。該先端突片４１は、前記流量調整スピンドル２０の下方に延設する円筒スリーブ２１に刻設された係止溝２２に挿嵌されると共に、前記ケレップ・コマ３０の回転スリーブ３１の外周面に周設された凹溝３２に係止される。
【００２４】
本発明にかかる水道蛇口構造１０は、前記流量調整スピンドル２０とケレップ・コマ３０と固定嵌め具４０とが、以下の構造的関係性を有して相互に組み合わさって構成されている。
すなわち、前記流量調整スピンドル２０の下方に延設された円筒スリーブ２１の中空部２３内に、ケレップ・コマ３０の回転スリーブ３１が挿嵌される。このとき、円筒スリーブ２１に刻設されている係止溝２２と回転スリーブ３１に周設されている凹溝３２との位置を合わせた状態とし、この状態にて固定嵌め具４０の両端部に夫々形成された先端突片４１が対向位置にある係止溝２２に夫々挿嵌されるように、円筒スリーブ２１の外側から固定嵌め具４０を嵌め込む。固定嵌め具４０の先端突片４１は、貫通した係止溝２２を介して円筒スリーブ２１の中空部２３内に対向して夫々突出することとなり、この突出した先端突片４１が同位置に合わされた回転スリーブ３１の凹溝３２に係止される。これにより、流量調整スピンドル２０とケレップ・コマ３０とは、上下動において固定されつつ回転可能に連結されることとなる。
【００２５】
尚、本発明にかかる水道蛇口構造１０におけるその他の構成要素については、特に限定等はなく、常法の構成態様を採用すれば足りる。
【００２６】
以上で構成される本発明にかかる水道蛇口構造１０は、流量調整スピンドル２０内を回転するケレップ・コマ３０が固定嵌め具４０によって上下動において固定されていることから、水道水の水圧に関係なく流量調整スピンドル２０と連動して上方及び下方に移動して、水道水流動口Ｄが強制的に開放・閉鎖される構造を為す。
【００２７】
図２は、本発明にかかる水道蛇口構造１０の作動状態を示す説明図であり、（ａ）は閉状態の作動順を示している。
（１）ハンドル５２を閉める方向に回動させる。
（２）蛇口本体５０に螺合される流量調整スピンドル２０が下方に降下する。
（３）流量調整スピンドル２０に連結されるケレップ・コマ３０が連動して下方に降下する。
（４）ケレップ・コマ３０の最下端に装着されるパッキン５６が水道水流動口Ｄを塞ぐ。このとき、流量調整スピンドル２０に対しケレップ・コマ３０は回転可能に連結されているため、水道水流動口Ｄにおいてパッキン５６が摺動することはない。
以上の様に、本発明にかかる水道蛇口構造１０によれば、従来の水道蛇口構造における水道水流動路Ｒを塞ぐ手段と変わらず、同じ動作をする。
【００２８】
図２（ｂ）は、本発明にかかる水道蛇口構造１０の開状態の作動順を示している。
（１）ハンドル５２を開く方向に回動させる。
（２）蛇口本体５０に螺合される流量調整スピンドル２０が上方に上昇する。
（３）流量調整スピンドル２０に連結されるケレップ・コマ３０が連動して強制的に上方に上昇する。
（４）ケレップ・コマ３０の最下端に装着されるパッキン５６が水道水流動口Ｄを開放する。このとき、流量調整スピンドル２０に対しケレップ・コマ３０は回転可能に連結されているため、水道水流動口Ｄにおいてパッキン５６が摺動することはない。
以上の様に、本発明にかかる水道蛇口構造１０によれば、従来の水道蛇口構造と異なり、流量調整スピンドル２０の上昇に連動してケレップ・コマ３０を強制的に上昇させることによって、水道水の水圧が減圧状態であっても水道水流動口Ｄが開放され、一定の出水が可能になる。
【実施例２】
【００２９】
本発明にかかる水道蛇口構造１０は、固定嵌め具４０の態様として略弾性部材から成る手段を採用し得る。尚、略弾性部材による付勢方向については、固定嵌め具４０において、両端部に存する先端突片４１が夫々互いの方向へ付勢されて成る態様を採る。
【００３０】
このように、固定嵌め具４０を略弾性部材により構成することによって、先端突片４１が夫々互いの方向へ付勢されて、固定嵌め具４０の嵌め外しが容易になることから、ケレップ・コマ３０の設置及び交換が容易となり、負担なく設置作業やメンテナンス作業が可能となる。
【産業上の利用可能性】
【００３１】
本発明にかかる水道蛇口構造は、流量調整スピンドル内を回転するケレップ・コマが固定嵌め具によって上下動において固定されていることから、水道水の水圧に関係なく流量調整スピンドルと連動して上方及び下方に移動して、水道水流動路が強制的に開放・閉鎖される構造となっているため、減圧条件下においても流量調整スピンドルの動きでケレップ・コマを上方へ移動させて水道水流動路の開放が可能であって、災害や事故によって水抜き後の水圧が無い状態でも、残存するある程度の水を出水することが可能となることで、タンクやボイラー、温水器などの水抜き作業に最適であると共に、水道管に残留した水道水の凍結による水道管破裂事故を防止することができ、さらには、流量調整スピンドルとケレップ・コマが上下動において固定されつつ回転可能に連結されていることで、流量調整スピンドルの回転に連動したケレップ・コマの回転を抑制して該ケレップ・コマに装備されているパッキンの水道水流動口における摺動を防いで、該パッキンの必要以上の擦り減りを防止することが可能となる。したがって、本発明にかかる「水道蛇口構造」の産業上の利用可能性は、極めて大であるものと思料する。
【符号の説明】
【００３２】
１０    水道蛇口構造
１１    水道蛇口
２０    流量調整スピンドル
２１    円筒スリーブ
２２    係止溝
２３    中空部
３０    ケレップ・コマ
３１    回転スリーブ
３２    凹溝
４０    固定嵌め具
４１    先端突片
５０    蛇口本体
５１    ビス
５２    ハンドル
５３    パッキン押え
５４    三角パッキン
５５    パッキン受け
５６    パッキン
５７    ナット
Ｓ    水道水
Ｒ    水道水流動路
Ｄ    水道水流動口
【図１】
2020033691.tif 000003
【図２】
2020033691.tif 000004
【図３】
2020033691.tif 000005
【図４】
2020033691.tif 000006
【手続補正書】
【提出日】令和1年7月14日(2019.7.14)
【手続補正１】
【補正対象書類名】特許請求の範囲
【補正対象項目名】請求項１
【補正方法】変更
【補正の内容】
【請求項１】
水道蛇口を構成する流量調整スピンドルの下方に延設する円筒スリーブの所定箇所に略Ｃ形を為す固定嵌め具の先端突片を挿嵌可能な貫通した係止溝が対向して刻設されると共に、該円筒スリーブの中空部を上下にスライド移動するケレップ・コマの回転スリーブの外周面所定箇所に前記固定嵌め具の先端突片が回転可能に係止される凹溝が周設されて成り、
前記固定嵌め具は、一部が開放された略Ｃ形を為すリング状に成形されると共に、開放箇所に存する両端部に夫々対向して突出した先端突片が形成されて成り、
前記流量調整スピンドルと前記ケレップ・コマが前記固定嵌め具によって回転可能に連結されることで該流量調整スピンドルとケレップ・コマとが連動して上下移動することにより、水道水が減圧された状態においても出水可能なことを特徴とする水道蛇口構造。
【手続補正２】
【補正対象書類名】明細書
【補正対象項目名】００１１
【補正方法】変更
【補正の内容】
【００１１】
上記課題を解決するため、本発明は、水道蛇口を構成する流量調整スピンドルの下方に延設する円筒スリーブの所定箇所に略Ｃ形を為す固定嵌め具の先端突片を挿嵌可能な貫通した係止溝が対向して刻設されると共に、該円筒スリーブの中空部を上下にスライド移動するケレップ・コマの回転スリーブの外周面所定箇所に前記固定嵌め具の先端突片が回転可能に係止される凹溝が周設されて成り、前記固定嵌め具は、一部が開放された略Ｃ形を為すリング状に成形されると共に、開放箇所に存する両端部に夫々対向して突出した先端突片が形成されて成り、前記流量調整スピンドルと前記ケレップ・コマが前記固定嵌め具によって回転可能に連結されることで該流量調整スピンドルとケレップ・コマとが連動して上下移動することにより、水道水が減圧された状態においても出水可能とした手段を採る。